(57)【要約】  本発明は、  −  基部（６）、およびこの基部から直立した要素（４）を備えるエンドピース（５）であって、前記要素（４）が、第１の硬度を有する少なくとも１つの要素（４）の第１の領域（１）と、第１の硬度よりも高い第２の硬度を有する要素（４）の第２の領域（２）とを画定している、エンドピース（５）と、  −  エンドピース（５）を受けるように構成された本体（３）と、  −  エンドピース（５）を本体（３）に対して動かすための手段とを備え、  これらの要素（４）が、基部との取付けゾーンで、第１の領域（１）が第２の領域（２）に少なくとも部分的に含まれるように構成される、マッサージおよび化粧品組成物の塗布ためのデバイス（１）に関する。
2016500009.tif 000002
【特許請求の範囲】
【請求項１】
−  基部（６）、および前記基部から直立した要素（４）を備えるエンドピース（５）であって、前記要素（４）が、第１の硬度を有する要素（４）の少なくとも１つの第１の領域（１）と、前記第１の硬度よりも高い第２の硬度を有する要素（４）の第２の領域（２）とを画定している、エンドピース（５）と、
−  前記エンドピース（５）を受けるように構成された本体（３）と、
−  前記エンドピース（５）を前記本体（３）に対して動かすための手段と、
を備え、
前記要素（４）が、前記基部との取付けゾーンで、前記第１の領域（１）が前記第２の領域（２）に少なくとも部分的に含まれるように構成されることを特徴とする化粧用デバイス（１）。
【請求項２】
前記第１の領域の４０％超、より有利には７０％超が、前記第２の領域に含まれることを特徴とする、請求項１に記載のデバイス。
【請求項３】
前記第１の領域が、前記第２の領域に完全に含まれることを特徴とする、請求項１または２に記載のデバイス。
【請求項４】
前記動かすための手段が、回転させるための手段であることを特徴とする、請求項１から３のいずれか一項に記載のデバイス。
【請求項５】
前記直立した要素の前記取付けゾーンにおける縦断面が、測定すると１ｃｍ２〜４ｃｍ２の間、より有利には２ｃｍ２〜３ｃｍ２の間であることを特徴とする、請求項１から４のいずれか一項に記載のデバイス。
【請求項６】
請求項１から５のいずれか一項に記載のデバイスの使用を含む化粧方法。
【請求項７】
請求項１から６のいずれか一項に記載のデバイスを備えるキット。
【請求項８】
基部（６）、および前記基部から直立した要素（４）を備え、前記要素（４）が、第１の硬度を各々有する要素（４）の少なくとも１つの第１の領域（１）と、前記第１の硬度よりも高い第２の硬度を各々有する要素（４）の第２の領域（２）とを画定しているエンドピース（５）において、
前記要素（４）が、前記基部との取付けゾーンで、前記第１の領域（１）が前記第２の領域（２）に少なくとも部分的に含まれるように構成されることを特徴とする、エンドピース（５）。
【請求項９】
請求項１から５のいずれか一項に記載のデバイスで使用されるように設計された少なくとも１つの基部が取外し可能に収容される貫通孔（４４）を備える化粧品容器（４０）を備えるアセンブリ。
【発明の詳細な説明】
【技術分野】
【０００１】
本発明の主題は、マッサージを行い、かつ／または洗浄を行い、かつ／またはケア組成物を含めた化粧品組成物を体表に塗布するためのデバイスである。
【０００２】
本発明によれば、「化粧用デバイス」とは、マッサージを行い、かつ／または洗浄を行い、かつ／または化粧品組成物を塗布するためのデバイスを意味するものとして理解される。
【０００３】
特に、このエンドピースは、身体のある帯域をマッサージする分野、および皮膚を洗浄する、特に皮膚の毛穴から不純物を除去するために深部洗浄する分野において特に有利である。このデバイスはまた、身体の洗浄またはケアに応用するのにも有用となり得る。
【背景技術】
【０００４】
「化粧品」という表現は、１９９３年６月１４日付けのＥＵ理事会指令９３／３５／ＥＥＣ（Ｃｏｕｎｃｉｌ  Ｄｉｒｅｃｔｉｖｅ  ９３／３５／ＥＥＣ）で定義された製品を意味するものとして理解されたい。
【０００５】
エアゾール器と、エアゾール器に取り付けられ、電機モータによって駆動される回転マッサージ部材を備えるデバイスとを備えるアセンブリを用いた化粧品組成物の塗布が、特許文献１から知られている。
【０００６】
本発明は、マッサージを行うおよび／またはある種の化粧品活性剤を塗布する新規な手法を提供することを目的とする。
【０００７】
特許文献２には、化粧品組成物を分注し、塗布するアセンブリであって、
−  化粧品組成物を収容した容器（receptacle）と、
−  エンドピースと、
−  塗布デバイスと
を備え、前記塗布デバイスが、
−  容器およびエンドピースを受けるように構成された本体と、
−  エンドピースを本体に対して回転させるための手段と、
−  組成物を容器からアプリケータの塗布表面の方に搬送するダクトと
を備える、アセンブリが開示されている。
【０００８】
この文献の教示によれば、回転によってマッサージ作用、皮膚剥脱作用、および組成物塗り広げ作用の少なくとも１つを実施することが可能となり、これによって新感覚の塗布感を生み出すことができ、また、化粧品組成物の１種または複数種の活性剤の効果を高めることができる。
【０００９】
また、この文献によれば、エンドピースには、マッサージ用起伏、たとえばスパイクまたはボールが設けられている。しかし、エンドピースの特定の選択に関連した利点は実証されていない。
【００１０】
身体または顔のマッサージの範囲では、たとえば眼の周り（contour of the eyes）、顔の卵形線（ｏｖａｌ）または脚の領域の鬱血除去効果が得られるように、血液循環またはリンパ液循環を改善させながらも、安息感を高めるエンドピースが求められている。
【００１１】
顔の洗浄またはケアの範囲では、ソフトであるが、不備なく顔色にムラがなく赤みを生じない清潔な皮膚を得るのに有効なマッサージ用エンドピースが求められている。このために、洗顔の目的は、特に脂性肌、またはニキビがちな肌では、Ｐ．アクネス（Ｐ．  ａｃｎｅｓ）などの細菌が皮膚の毛穴で増殖するのを回避することである。普通肌から乾燥肌として知られる肌では、洗顔の主な目的は、エンドピースを皮膚上で動かすことによって死滅した皮膚を除去し、その結果角質細胞の機械的落屑を生じさせることである。
【００１２】
また、化粧品組成物がパッケージングされているいかなるデバイスにも、特にそれらのデバイスが洗顔用の活性剤、顔ケア用の活性剤、または抗セルライト活性剤を収容している場合に取り付けることができる低コストのマッサージ用エンドピースを提供することが求められている。
【００１３】
また、その操作によって、様々なレベルの皮膚洗浄が可能となる、マッサージを行い、かつ／または洗浄を行うためのエンドピースが求められている。
【００１４】
また、膝、踵、または肘の形に沿うように、身体のくぼみおよび起伏に適した、マッサージを行い、かつ／または洗浄を行うためのエンドピースが求められている。
【００１５】
また、顔の表面、特に鼻、鼻の両側、頬骨、または顎の起伏の変動に沿う、マッサージを行い、かつ／または洗浄を行うためのエンドピースが求められている。
【００１６】
また、化粧品を適正に塗布しながら、または深部洗浄を行いながらも新しいタイプの感覚をもたらし、かつ血液循環およびリンパ液循環を向上させるようにマッサージを行うマッサージおよび／または洗浄用エンドピースがやはり求められている。
【先行技術文献】
【特許文献】
【００１７】
【特許文献１】ＥＰ１７２８４９４
【特許文献２】ＦＲ２９１８５４５
【特許文献３】米国特許出願公開第２００６／０２７６７３１号
【発明の概要】
【発明が解決しようとする課題】
【００１８】
本発明の目的は、回転（時計回りおよび／または反時計回りの回転）、揺動、叩打運動、または振動するアプリケータであって、そのコアと周縁とで異なる硬度を有する直立要素を備え、したがって顔および身体の突出した領域によって、可撓性コアに圧力が加わることによって可撓性コアが圧縮し、その結果周縁にある要素が皮膚に作用することができる、アプリケータを提供することによって、上記で認識された問題のすべて、またはいくつかを解決することである。
【課題を解決するための手段】
【００１９】
本発明の主題は、
−  基部、およびこの基部から直立した要素を備えるエンドピースであって、前記要素が、第１の硬度を有する要素の少なくとも１つの第１の領域と、第１の硬度よりも高い第２の硬度を有する要素の第２の領域とを画定している、エンドピースと、
−  エンドピースを受けるように構成された本体と、
−  エンドピースを本体に対して動かすための手段と
を備え、
これらの要素が、基部との取付けゾーンで、第１の領域が、第２の領域に少なくとも部分的に含まれるように構成される、化粧用デバイスである。
【００２０】
有利には、これらの直立要素は、ポリアミドの化学族に属さない。特に、これらの直立要素は、Ｎｙｌｏｎ  ６１２（登録商標）で作成されていない。
【００２１】
より詳細には、これらの直立要素は、以下から選択される。
（ｉ）合成要素、特に以下から選択された合成繊維。
ＰＶＣ
ポリプロピレン
ポリエチレン
ポリエステル
研磨繊維
（ｉｉ）金属要素、特に以下から選択された金属繊維。
青銅
真鍮
ステンレス鋼
波形鋼
直線鋼
平鋼
【００２２】
本発明によるデバイスを用いると、より強い影響力で、より活性なマッサージを実施するために、エンドピースの移動中に、皮膚の連続した領域に異なる圧力を加えることが可能となる。リラクセーションの向上を実現するために、様々な圧力レベルを交互に印加することが可能となる。
【００２３】
本発明はまた、上記のデバイスの使用を含む化粧方法に関する。
【００２４】
本発明はまた、上記のデバイスを備えるキットに関する。
【００２５】
本発明はまた、上記で規定されたエンドピースに関する。
【００２６】
本発明によれば、「第１の領域が、第２の領域に少なくとも部分的に含まれる」とは、基部との取付けゾーンで、第１の領域が、第２の領域の内側で少なくとも部分的に境界を画する（trace）ことができる場合、たとえば第１の領域が、第２の領域の周辺部に位置する頂部を備える場合を意味するものとして理解される。
【００２７】
例示として、第１の領域は、円形、三角形、または多角形でよく、これらの領域は、第２の領域の周縁を形成する円内に含まれ得、第２の領域の周縁は基部との取付けゾーンで、環状部を画定している。
【００２８】
本発明によれば、「第１の領域のｘ％超が、第２の領域に含まれる」とは、支持体との取付けゾーンで、周縁（または第１の領域の周縁輪郭）のｘ％超が、第２の領域に含まれ得る場合を意味するものとして理解される。
【００２９】
有利には、第１の領域の４０％超、より有利には７０％超が、第２の領域に含まれる。
【００３０】
特に好ましくは、第１の領域は、第２の領域に完全に含まれる。
【００３１】
第１の領域が第２の領域に含まれる百分率を求めるために、第１の領域の周縁上の各点に対して接線を引く。この接線に対する法線が領域２を通る場合、この点は領域２に含まれることになると見なされる。この含まれる百分率は、領域１全体の輪郭に含まれる、領域１の輪郭点の比率を求めることによって得られる。
【００３２】
マッサージおよび塗布デバイス
有利には、動かすための手段は、回転、振動、揺動、もしくは叩打させるための手段、またはそれらの組合せから選択される。
【００３３】
より有利には、動かすための手段は、回転もしくは振動させるための手段、またはそれらの組合せから選択され、さらに有利には、動かすための手段は、回転させるための手段である。
【００３４】
回転の設定
エンドピースを駆動手段によって回転させる際、エンドピースの回転速度は、たとえば、１００ｒｐｍ〜４００ｒｐｍの間、好ましくは２００ｒｐｍ〜３００ｒｐｍの間でよい。
【００３５】
エンドピースは、本体に対して固定された幾何学的回転軸（geometric rotation axis）の周りで回転させることができる。変形形態として、エンドピースは、本体に対して動かすことができる幾何学的回転軸の周りで回転させてもよい。必要であれば、エンドピースの運動を偏心運動としてもよく、こうすることによって、組成物をより一様に、処置済領域と未処置領域との間の境界がそれほど目立たないように塗り広げることが可能となり、これはおそらくたとえば人工日焼け用クリームの場合に有利である。
【００３６】
エンドピースは、デバイスのスリーブの長手軸に対してゼロ度またはゼロ度以外の角度を成す幾何学的回転軸の周りで回転させることができる。ゼロ度以外の角度では、人間工学を改善することができる。
【００３７】
このエンドピースは、マッサージおよび塗布デバイスに取外し可能に取り付けることができ、これによってエンドピースを洗浄する、かつ／または実施すべき処置に依存して選択された別のエンドピースと交換するために塗布デバイスを分離することが可能となる。
【００３８】
振動の設定
振動源は、たとえば遠心錘、偏心振動子、電気機械振動子、圧電振動子、または機械振動子を駆動するモータを備えることができる。
【００３９】
振動源と基部との間の接触は、たとえば振動の振幅、周波数、および向きに依存して断続的でも長期的でもよい。
【００４０】
振動周波数は、たとえば２０Ｈｚ以上である。
【００４１】
振動は、基部の長手軸を横断する方向に向けても、基部の長手軸に平行に向けても、他のいくつかの方向に向けてもよい。
【００４２】
直立要素を形成する材料
直立要素は、弾性的に変形可能かつ／または圧縮可能な気泡材料を備えることができる。この材料は、発泡体でよい。発泡体は、次の一覧、すなわちポリウレタン、ポリエーテル、ポリエステル、ポリ塩化ビニル、ポリエチレン、ＥＶＡ、ラテックス、シリコーン、ＳＩＳ、ＳＥＢＳ、シリコーンエラストマ、ラテックスエラストマ、ニトリルエラストマ、ブチルエラストマ、Ｎｅｏｐｒｅｎｅ（登録商標）、ＮＢＲ、ＳＢＲから選択された材料から作製することができるが、この一覧に限定されるものではない。
【００４３】
直立要素は、異なる性質を有する複数の層、たとえばいくつかの種類の発泡体を有する複合構造体を有することができる。
【００４４】
直立要素は、いかなる形状も有することができる。直立要素は、円形、楕円形、または多角形の断面、たとえば三角形、正方形、六角形などの断面を有することができる。
【００４５】
直立要素は、研磨特性を有することができる。「研磨特性」とは、皮膚上で動かすと、その表面から死滅細胞の少なくとも幾分かを除去する表面を意味するものとして理解すべきである。
【００４６】
そのような表面は、０．０１ｇ／ｃｍ２／分〜０．０３ｇ／ｃｍ２／分の研磨力を特徴とすることができる。研磨力とは、１３５ＷのＢｌａｃｋ  ａｎｄ  Ｄｅｃｋｅｒ  ＣＤ４００研磨機を用いて、厚さ５０ｍｍを有するプラスタ片にあてがわれた研磨表面の１平方センチメートル当たり１分間に除去されるプラスタの量に相当し、このプラスタ片に加わる圧力は、研磨表面の平面における研磨機の動きを拘束した場合の、研磨機の重量によるものである。
【００４７】
そのような直立要素は、実質的に剛性の気泡材料を考慮することによって、または硬質粒子を可撓性の気泡材料に組み込むことによって得られる。
【００４８】
研磨表面の一例は、３Ｍから販売されている不織剥脱パッドである。
【００４９】
発泡体は、特に化粧品を塗り広げるのに適した軟質、かつ可撓性の発泡体でよく、時にはスポンジとしても知られる。
【００５０】
直立要素は、たとえば３２ｋｇ／ｍ３に等しい密度を有する、たとえば親水性の架橋ポリエステル発泡体でよい。
【００５１】
スポンジは従来、ファンデーションを塗布するために使用されており、ＮＢＲ、たとえばＰｅｎｔｈｏｕｓｅ  ＧｒｏｕｐのＹｕｋｉｌｏｎ（登録商標）などもやはり考えられる。
【００５２】
直立要素は、熱圧縮発泡体でもよい。熱圧縮によって、発泡体の表面に起伏を生じる、かつ／または弾性繊維（elastic fabric）と複合させることが可能となり、それによって可撓性であるが、プラスチックの生地感よりも心地よい生地感を発泡体に持たせることが可能となる。
【００５３】
熱圧縮発泡体の一例は、ポリオレフィン製の独立気泡発泡体であり、たとえば比重量３３ｋｇ／ｍ３を有する熱圧縮ポリエチレンを、たとえばＬｙｃｒａ（登録商標）などの弾性繊維と複合させたものである。
【００５４】
直立要素は、プラスチック材料、金属、またはガラス製のファイルでもよい。
【００５５】
直立要素は、射出成形可撓性プラスチック材料、たとえばエラストマ製であってもよく、マッサージを行う起伏、たとえば先が尖った端部、丸まった端部を有し、断面が円形、正方形、もしくは三角形、長さがたとえば１ｍｍ〜４０ｍｍなどの間のスパイク、または断面が円形もしくは楕円形、高さがたとえば１ｍｍ〜２０ｍｍなどの間のボールを有することができる。
【００５６】
直立要素は、たとえば熱可塑性材料で作成される。「熱可塑性材料」とは、たとえばＳＥＢＳ、シリコーン、ラテックス、天然ゴム、スリップ性が改善された材料、ブチル、ＥＰＤＭ、ニトリル、熱可塑性エラストマ「ＴＰＥ：  ｔｈｅｒｍｏｐｌａｓｔｉｃ  ｅｌａｓｔｏｍｅｒ」、ポリエステルエラストマ、ポリアミドエラストマ、ポリエチレンエラストマ、またはビニルエラストマ、ＰＥもしくはＰＰなどのポリオレフィン、特に低濃度ＰＥ、ＰＶＣ、ＥＶＡ、ＰＳ、ＳＩＳ、ＰＥＴ、ＰＯＭ、ＰＵ、ＳＡＭ、ＰＡ、もしくはＰＭＭＡのいかなる熱可塑性材料も意味するものとして理解される。そのような材料は、表面が濡れると、特に適切な表面張力特性のため、急速に乾燥するという特性を有する。商標名Ｔｅｆｌｏｎ（登録商標）、Ｈｙｔｒｅｌ（登録商標）、Ｃａｒｉｆｌｅｘ（登録商標）、Ａｌｉｘｉｎｅ（登録商標）、Ｓａｎｔｏｐｒｅｎｅ（登録商標）、Ｐｅｂａｘ（登録商標）、およびＰｏｌｌｏｂａｓ（登録商標）として知られる材料を特に使用することが可能である。直立要素を作製するために使用される材料は、軟化剤および／または殺菌剤、たとえば銀イオンなどを含有することができる。
【００５７】
直立要素は、合成剛毛または天然剛毛製のブラシでもよく、たとえば直径０．０５〜０．２ｍｍの間を有するポリアミドまたはＰＢＴの房状の毛束を有する剛毛ブラシでよく、特に直径０．０７５ｍｍを有するＮｙｌｏｎ（登録商標）６．１２製のものでよく、これらの剛毛は肌と接触したときに極めてソフトになるように研磨され研削されている。
【００５８】
直立要素は、皮膚をマッサージするために、円滑である、または起伏を有する、かつ剛性または可撓性であるボールまたはローラなどの回転することが可能な要素を有することができる。
【００５９】
直立要素の硬度
第１の領域では、この硬度は、顔の領域を強すぎず穏やかにほぐすように特に適合されている。
【００６０】
「要素が、第１の硬度を有する要素の少なくとも１つの第１の領域と、第１の硬度よりも高い第２の硬度を有する要素の第２の領域とを画定している」かどうかを判定するために、次の試験を実施する。
【００６１】
２５°Ｃで１バールの雰囲気状態を設定し、直立要素の全自由端に０．０８５バールの圧力を同等に５秒間印加する。各直立要素について、０．０８５バールの圧力を印加することによって生じた高さの変動を測定することによって、第１の領域または第２の領域のどちらがより可撓性であるかを求める。
【００６２】
次いで、各部分の要素の高さの平均変動を計算する。
【００６３】
高さのこの平均変動が第２の領域の絶対値よりも高い場合、第２の硬度は、第１の硬度よりも低いと言える。第２の領域の要素は、第１の領域の要素よりも可撓性である。
【００６４】
高さのこの平均変動が第２の領域の絶対値よりも低い場合、第２の硬度は、第１の硬度よりも高いと言える。第２の領域の要素は、第１の領域の要素よりも硬度が高い。
【００６５】
第２の領域では、この硬度は、特に活性かつ安定した（firming）マッサージを生じるように適合されている。
【００６６】
基部の外形
有利には、直立要素は平坦な基部上に植設される。
【００６７】
有利には、直立要素の取付けゾーンにおける基部の縦断面は、円形、正方形、多角形、または三角形である。
【００６８】
有利には、直立要素の取付けゾーンにおける基部の縦断面は、測定すると１ｃｍ２〜１００ｃｍ２の間、より有利には５ｃｍ２〜２０ｃｍ２の間である。この寸法は、顔に特に適している。この寸法は、鼻の輪郭など、より扱いにくい領域に到達させる一助となる。２０ｃｍ２〜１００ｃｍ２の間の寸法が、身体に特に適しており、膝、肘、および肩に達することが可能なだけでなく、腿部、腹部、または背部などのより広い領域を処置することも可能となる。
【００６９】
本発明はまた、上記で規定されたデバイスで使用されるように設計された少なくとも１つの基部が取外し可能に収容される貫通孔を備える化粧品容器を備えるアセンブリに関する。
【００７０】
本発明の非限定的な実装形態例の次の説明を読み、添付の図面を参照すれば、本発明をよりよく理解することができる。
【図面の簡単な説明】
【００７１】
【図１】本発明によるデバイスの一例を概略的に示す正面図である。
【図２】本発明によるエンドピースの上面図である。
【図３】本発明によるエンドピースの上面図である。
【図４】従来技術によるエンドピースの概略上面図である。
【図５】基部との取付けゾーンにおける直立要素の縦断面図である。
【図６】基部との取付けゾーンにおける直立要素の縦断面図である。
【図７】基部との取付けゾーンにおける直立要素の縦断面図である。
【図８】基部との取付けゾーンにおける直立要素の縦断面図である。
【図９】基部との取付けゾーンにおける直立要素の縦断面図である。
【図１０】基部との取付けゾーンにおける直立要素の縦断面図である。
【図１１】基部との取付けゾーンにおける直立要素の縦断面図である。
【図１２】基部との取付けゾーンにおける直立要素の縦断面図である。
【図１３】基部との取付けゾーンにおける直立要素の縦断面図である。
【図１４】基部との取付けゾーンにおける直立要素の縦断面図である。
【発明を実施するための形態】
【００７２】
図１は、本発明に従って作製されたデバイス１を示す。
【００７３】
このデバイス１は、本体３を備え、この本体３に、皮膚と接触することになる塗布表面を画定しているエンドピース５を可逆的に固定することができる。
【００７４】
デバイス１は、たとえば特許文献３に従って作製される。
【００７５】
本体３は、エンドピース５を本体３に対して回転運動で駆動するための手段を収容することができる。
【００７６】
この運動は、たとえば本体３に対して固定された回転軸Ｘの周りでの回転運動である。
【００７７】
この駆動手段は、本体３に収容された電気モータを備えることができ、１つまたは複数の充電可能なまたは充電不可能なバッテリによって電力供給され、ギヤによってエンドピースを軸Ｘの周りで回転させる。
【００７８】
図１に示す例では、エンドピース５は、塗布表面３０を画定している直立要素５を備える。これらの直立要素は、基部２に固定され、自由端１１で終端している。
【００７９】
図２の例では、エンドピースは、本発明に従ったものである。このエンドピースは、直立要素４との取付けゾーンで円形断面を有する基部６を備える。直立要素４は、基部との取付けゾーンで次の２つの領域、すなわち円盤状の中央領域１と、環状の周縁領域２とを画定している。
【００８０】
中央領域１の直立要素４は、周縁領域２の直立要素４よりも低い硬度を有する。中央領域１は、周縁領域２に完全に含まれている。
【００８１】
中央領域１は、軟質で可撓性の低密度発泡体によって形成されている。周縁領域２は、たとえば毛束にまとめられた、直径０．０７５ｍｍを有するナイロン毛を備える。このアセンブリは、配合物を泡立たせて、凹部領域さえも深部洗浄するのに特に適している。
【００８２】
領域１を構成する要素はまた、次の一覧から選択することができる。
・剛毛繊維（ナイロンなど）
・様々な形状を有する可撓性エラストマ製のスパイク、すなわち様々な形状を有するスパイク
・より可撓性のエラストマ製のボール、波、または様々なマッサージ形状
・スポンジまたは他の何らかの可撓多孔性材料
【００８３】
領域２を構成する要素はまた、次の一覧から選択することができる。
・直径約０．１ｍｍを有する剛毛繊維（ナイロンなど）
・様々な形状を有するエラストマ製のスパイク
・様々な形状を有するスパイク
・様々な形状を有する剛性スパイク
・硬質エラストマ製のボール、波、または様々なマッサージ形状
・剛性材料（プラスチック材料、ガラス、金属、セラミックなど）製のボール、波、または様々なマッサージ形状
・スポンジ、発泡体、または他の何らかの多孔性材料
【００８４】
含まれる部分がスポンジ、発泡体、または多孔性材料から選択される場合、エンドピースの移動中に、配合物を皮膚に塗り広げるのに好適な配合物保持ゾーンが得られる。したがって、中央部分が凹部またはより短くなっている場合、保持ゾーンとなる。
【００８５】
図３では、このエンドピースは本発明に従ったものである。中央領域１は、剛毛によって形成されている。領域２は、エラストマのスパイクによって形成されている。領域２のスパイクは、それらの自由端で領域１の剛毛よりも広い断面を有する。領域２のスパイクは、領域１の剛毛よりも硬度が高い。このアセンブリを用いると、刺激的な洗浄が得られる。
【００８６】
図４では、このエンドピースは本発明に従ったものである。
【００８７】
中央領域２の直立要素４は、周縁領域１の直立要素よりも低い硬度を有する。中央領域２は、周縁領域１に完全に含まれている。
【００８８】
中央領域２は、ナイロン剛毛の毛束によって形成されている。周縁領域１は、非常に密度の高い研磨性発泡体を備える。このアセンブリによって、深部洗浄スクラブを実現することが可能となる。
【００８９】
要素の剛性および形状のレベル、ならびに全体の形状によって、これらのエンドピース、および意図された化粧用処置の用途が決まる。研磨性かつ剛性のアセンブリは、活性なマッサージおよび剥脱に好適である。可撓性アセンブリは、ケアの用途に好適である。剛毛で構成されるアセンブリは、洗浄に好適である。
【００９０】
突起がほとんどなく、かつ起伏がほとんどない形状では、より高い軟度が実現される。強力な突起、および強力な起伏によってマッサージが得られる。ある形状は、配合物のきめ（texture）に作用するのに好適である。したがって、大きい気泡を有するスポンジによって泡立てることが可能となり、逆に、非常に密度の高いスポンジでは、泡立て、拭取り、または剥脱が阻止される。
【００９１】
図５〜図１４は、要素の基部との取付けゾーンにおけるエンドピースの縦断面を示す。
【００９２】
より低い硬度を有する要素で構成される領域１は、暗色で示されている。より高い硬度を有する要素で構成される領域２は、明色で示されている。
【００９３】
図５〜図１４のすべてで、領域２は領域１を少なくとも部分的に取り囲んでいる。これらのエンドピースは本発明に従ったものである。
【００９４】
図５〜図１０、ならびに図１２および図１３では、領域２は領域１を完全に取り囲んでいる。領域１の周縁は、円形、三角形、正方形、四つ手の星、八つ手の星、楕円形、半月、または卵形を順次表している。領域２の外縁は、図１〜図９および図１３では円を成している。図１２では、周縁は楕円形である。図１０、図１１、および図１４では、周縁は多角形である。
【００９５】
図１１および図１４では、領域２は領域１を部分的に取り囲んでいる。領域２は、領域１のオープン窓を成している。
【００９６】
本発明によるデバイスを使用するために、たとえばエンドピースを回転させずに組成物を塗布することが可能であり、こうすることによって、たとえばその組成物を処置すべき領域に塗り広げることが可能となる。次いで、組成物が塗布された領域をマッサージするためにエンドピースを回転させる。
【００９７】
別の例では、エンドピースは、組成物を分注せずに、処置すべき領域をマッサージするために回転させる。
【００９８】
さらに別の例では、エンドピースは、組成物を最初は分注せずに、処置すべき領域をマッサージするために回転させる。
【００９９】
マッサージ作用によって、たとえばエンドピースの皮膚に対する摩擦のため、局所加熱を引き起こすことができ、最初にエンドピースに組成物がないので、摩擦、および摩擦から生じる温感を増大させることができる。
【０１００】
次に、エンドピースをなおも回転させたまま、または変形形態として、エンドピースを停止させて、組成物を分注し、すでにマッサージした領域に塗り広げることができる。
【０１０１】
上記説明の全体を通して「〜を備える」という表現は、そうでないことが明記されない限り、「少なくとも１つの〜を備える」と同義であると見なすべきである。
【符号の説明】
【０１０２】
１  デバイス、周縁領域、第１の領域
２  基部、周縁領域、中央領域、第２の領域
３  本体
４  直立要素
５  エンドピース
６  基部
１１  自由端
３０  塗布表面
４０  化粧品容器
４４  貫通孔
Ｘ  回転軸、軸
【図１】
2016500009.tif 000003
【図２】
2016500009.tif 000004
【図３】
2016500009.tif 000005
【図４】
2016500009.tif 000006
【図５】
2016500009.tif 000007
【図６】
2016500009.tif 000008
【図７】
2016500009.tif 000009
【図８】
2016500009.tif 000010
【図９】
2016500009.tif 000011
【図１０】
2016500009.tif 000012
【図１１】
2016500009.tif 000013
【図１２】
2016500009.tif 000014
【図１３】
2016500009.tif 000015
【図１４】
2016500009.tif 000016
【国際調査報告】
2016500009.tif 000017
2016500009.tif 000018
2016500009.tif 000019